(57)【要約】【課題】本発明は、オートフォーカスが遂行されたイメージを撮影することができる携帯端末機のイメージ撮影装置及び方法を提供する。【解決手段】本発明による携帯端末機におけるイメージ撮影装置は、カメラ部と、プレビューモードで連続オートフォーカス(ＣＡＦ)を遂行する間に撮影が選択される場合、撮影フレームに対してオートフォーカス(ＡＦ)が遂行されるか否かを判定し、撮影フレームのＡＦが遂行されない場合に撮影フレームに対してＡＦを遂行する制御部とを含む。【選択図】図２
2013190791.tif 000002
【特許請求の範囲】
【請求項１】
携帯端末機におけるイメージを撮影する装置であって、
カメラ部と、
プレビューモードで連続オートフォーカス(ＣＡＦ)を遂行する間に撮影が選択される場合、撮影フレームに対してオートフォーカス(ＡＦ)が遂行されるか否かを判定し、前記撮影フレームのＡＦが遂行されない場合に撮影フレームに対してＡＦを遂行する制御部と、
を含むことを特徴とする装置。
【請求項２】
前記制御部は、
前記撮影フレームと以前にＡＦが遂行されたフレームとを比較して前記撮影フレームの動き変化量を測定し、
前記撮影フレームの前記動き変化量がしきい値より大きい場合、前記撮影フレームはＡＦが遂行されないと判定することを特徴とする請求項１に記載の装置。
【請求項３】
前記制御部は、
前記撮影フレームの前記動き変化量が前記しきい値以下である場合、前記撮影フレームのＡＦが遂行されたと判定し、前記撮影フレームを格納することを特徴とする請求項２に記載の装置。
【請求項４】
前記制御部は、
プレビューモードでＣＡＦを遂行する間に撮影が選択される場合、撮影フレームのＡＦが遂行されたか否かを判定し、前記撮影フレームがＡＦ遂行されないと判定される場合、ＣＡＦが遂行される前記プレビューモードに自動に切り替えることを特徴とする請求項１に記載の装置。
【請求項５】
前記制御部は、
前記撮影フレームを以前にＡＦが遂行されたフレームと比較して前記撮影フレームの動き変化量を測定し、
前記撮影フレームの前記動き変化量がしきい値より大きい場合、前記撮影フレームはＡＦが遂行されないと判定し、前記撮影フレームはＡＦが遂行されないフレームであることを示すメッセージを表示し、
前記制御部は、
所定時間内に格納が選択されない場合、ＣＡＦが遂行される前記プレビューモードに自動で切り替え、
前記所定時間内に格納が選択される場合、ＡＦが遂行されない前記撮影フレームを格納することを特徴とする請求項４に記載の装置。
【請求項６】
前記制御部は、
前記プレビューモードでＣＡＦを遂行する間に撮影が選択される場合、撮影フレームはＡＦが遂行されたか否かを判定し、前記撮影フレームのＡＦが遂行されない場合には、格納以前の前記撮影フレームを表示することを特徴とする請求項１に記載の装置。
【請求項７】
前記制御部は、
前記撮影フレームを以前にＡＦが遂行されたフレームとを比較して前記撮影フレームの動き変化量を測定し、
前記撮影フレームの前記動き変化量がしきい値より大きい場合、前記撮影フレームはＡＦが遂行されないと判定し、前記撮影フレームはＡＦが遂行されないフレームであることを示すメッセージを表示し、
前記制御部は、フレームビューが選択される場合に格納以前の前記撮影フレームを表示し、
前記制御部は、前記撮影フレームを表示する間に格納が選択される場合、ＡＦが遂行されない前記撮影フレームを格納し、
前記制御部は、前記撮影フレームを表示する間にプレビューモードが選択される場合、ＣＡＦが遂行される前記プレビューモードに切り替えることを特徴とする請求項６に記載の装置。
【請求項８】
前記制御部は、
ＣＡＦが遂行されるプレビューモードで、以前の撮影フレームはＡＦが遂行されたか否かを判定し、以前の前記撮影フレームのＡＦが遂行されない場合、以前の前記撮影フレームはＡＦが遂行されないことを表示することを特徴とする請求項１に記載の装置。
【請求項９】
前記制御部は、
プレビューモードでＣＡＦを遂行する間に撮影が選択され、前記撮影フレームのＡＦが遂行されない場合、前記撮影フレームのＡＦが遂行されないフレームであることを示すメッセージを表示し、ＡＦが遂行されない前記撮影フレームを格納し、前記プレビューモードに切り替え、
前記制御部は、ＣＡＦが遂行される前記プレビューモードで、以前の撮影フレームはＡＦが遂行されないことを表示することを特徴とする請求項８に記載の装置。
【請求項１０】
前記制御部は、
前記ＣＡＦが遂行されるプレビューモードで、以前の撮影フレームをサムネイル画像で表示する場合、前記フレームのＡＦが遂行されたか否かによって前記サムネイル画像を区分して表示することを特徴とする請求項９に記載の装置。
【請求項１１】
携帯端末機におけるイメージを撮影する方法であって、
プレビューモードで連続オートフォーカス(ＣＡＦ)を遂行する間に撮影が選択される場合、撮影フレームのオートフォーカス(ＡＦ)が遂行されるか否かを判定するステップと、
前記撮影フレームのＡＦが遂行されない場合に前記撮影フレームに対してＡＦを遂行するステップと、
を有することを特徴とする方法。
【請求項１２】
前記撮影フレームのＡＦが遂行されるか否かを判定するステップは、
前記撮影フレームと以前にＡＦが遂行されたフレームとを比較し、前記撮影フレームの動き変化量を測定するステップと、
前記撮影フレームの前記動き変化量がしきい値より大きい場合、前記撮影フレームのＡＦが遂行されないと判定するステップと、
前記撮影フレームの前記動き変化量がしきい値以下である場合、前記撮影フレームのＡＦが遂行されると判定するステップと、
を有することを特徴とする請求項１１に記載の方法。
【請求項１３】
前記撮影フレームのＡＦが遂行される場合、前記撮影フレームを格納するステップをさらに有することを特徴とする請求項１１に記載の方法。
【請求項１４】
前記撮影フレームのＡＦが遂行されないと判定される場合、ＣＡＦが遂行される前記プレビューモードに自動に切り替えるステップをさらに有することを特徴とする請求項１１に記載の方法。
【請求項１５】
自動で前記プレビューモードに切り替えるステップは、
前記撮影フレームのＡＦが遂行されないと判定される場合、前記撮影フレームのＡＦが遂行されないフレームであることを示すメッセージを表示するステップと、
前記メッセージを表示する間に所定時間内に格納が選択されない場合、ＣＡＦが遂行される前記プレビューモードに自動に切り替えるステップと、
前記メッセージを表示する間に所定時間内に格納が選択される場合、ＡＦが遂行されない前記撮影フレームを格納するステップと、
を有することを特徴とする請求項１４に記載の方法。
【請求項１６】
前記撮影フレームのＡＦが遂行されないと判定される場合、格納以前の前記撮影フレームを表示するステップをさらに有することを特徴とする請求項１１に記載の方法。
【請求項１７】
前記撮影フレームを表示するステップは、
前記プレビューモードでＣＡＦを遂行する間に撮影が選択される場合、前記撮影フレームのＡＦが遂行されていないフレームであることを示すメッセージを表示するステップと、
前記メッセージを表示する間にフレームビューが選択される場合に前記撮影フレームを表示するステップと、
前記メッセージを表示する間に格納が選択される場合、ＡＦが遂行されない前記撮影フレームを格納するステップと、
前記撮影フレームを表示する間に格納が選択される場合、ＡＦが遂行されない前記撮影フレームを格納するステップと、
前記撮影フレームを表示する間にプレビューモードが選択される場合、ＣＡＦが遂行される前記プレビューモードに自動に切り替えるステップと、
を有することを特徴とする請求項１６に記載の方法。
【請求項１８】
ＣＡＦが遂行されるプレビューモードで以前の撮影フレームのＡＦが遂行されるか否かを判定するステップと、
以前の前記撮影フレームのＡＦが遂行されない場合、前記プレビューモードで以前の前記撮影フレームのＡＦが遂行されないことを示すステップと、
をさらに有することを特徴とする請求項１１に記載の方法。
【請求項１９】
前記プレビューモードでＣＡＦを遂行する間に撮影が選択される場合、前記撮影フレームのＡＦが遂行されるか否かを判定するステップと、
前記撮影フレームのＡＦが遂行されないと判定される場合、前記撮影フレームのＡＦが遂行されないフレームであることを示すメッセージを表示し、ＡＦが遂行されない前記撮影フレームを格納するステップと、
ＡＦが遂行されない前記撮影フレームを格納した後、ＣＡＦが遂行される前記プレビューモードに切り替えるステップと、
をさらに有することを特徴とする請求項１８に記載の方法。
【請求項２０】
ＣＡＦが遂行される前記プレビューモードで、以前の撮影フレームをサムネイル画像で表示する場合、前記撮影フレームのＡＦが遂行されるか否かによって前記サムネイル画像を区分して表示するステップをさらに有することを特徴とする請求項１８に記載の方法。
【発明の詳細な説明】
【技術分野】
【０００１】
本発明は携帯端末機のイメージ撮影装置及び方法に関するもので、特に携帯端末機におけるオートフォーカスが遂行されたイメージを撮影できるイメージ撮影装置及び方法に関する。
【背景技術】
【０００２】
携帯端末機において、イメージを撮影する間に被写体をフォーカシングする方法は、オートフォーカス(Auto Focus：ＡＦ)と固定フォーカス(Fixed Focus：ＦＦ)とに分けられる。ＡＦの遂行後にイメージを撮影するためのいろいろな方法がある。このうち、一番普遍的な方法は、別途のカメラ用ハードキー又はカメラモード画面上に表示されるソフトキー(例えば、ＵＩ(User Interface))を用いてユーザーの半押し(half shutter)入力を通じてＡＦを遂行した後、全押し(full shutter)の入力を通じて被写体を撮影する方法である。
【０００３】
その他に、プレビュー(preview)モードで画面の変化に従って連続してＡＦを遂行する連続オートフォーカス(Continuous Auto Focus：ＣＡＦ)を適用し、長押し又は短押しによるユーザーの入力を選択する時点で被写体を撮影する方法がある。
【０００４】
プレビューモードでＣＡＦを遂行する場合、カメラを有する携帯端末機は、カメラに該当する画素に合わせてフルフレーム(full frame)でプレビューを駆動し、該当端末機のＡＦアルゴリズムに従ってＡＦを遂行する。それによって、画面上にいかなる変化が発生しても継続してレンズが動いてフォーカシングを維持することができる。
【０００５】
上記のようにプレビューモードでＣＡＦが遂行される間、ユーザーが該当端末機のハードキー又はソフトキーを通じて現在プレビュー画面を撮影したいという入力を印加する場合、該当画面は、直ちに撮影される。
【０００６】
しかしながら、急激な画面切り替えによってまだＡＦが遂行される前の状況又はフォーカシングのためにレンズが移動中である状況でユーザーにより撮影が選択される場合、ＡＦが遂行されないイメージが撮影されることによって、最適なフォーカシング(best focusing)であるか否かに対する信頼度(confidence)が低下するという問題点があった。
【先行技術文献】
【特許文献】
【０００７】
【特許文献１】特許第４２７２５３４号公報
【特許文献２】特開２０１１−１６９９９３号公報
【発明の概要】
【発明が解決しようとする課題】
【０００８】
したがって、本発明は上記した従来技術の問題点に鑑みてなされたものであって、その目的は、携帯端末機において入力方式によってＡＦが遂行されるイメージを撮影できるイメージ撮影装置及び方法を提供することにある。
【課題を解決するための手段】
【０００９】
上記のような目的を達成するために、本発明の一態様によれば、携帯端末機におけるイメージを撮影する装置が提供される。その装置は、カメラ部と、プレビューモードで連続オートフォーカス(ＣＡＦ)を遂行する間に撮影が選択される場合、撮影フレームに対してオートフォーカス(ＡＦ)が遂行されるか否かを判定し、撮影フレームがＡＦ遂行されない場合に撮影フレームに対してＡＦを遂行する制御部とを含む。
【００１０】
本発明の他の態様によれば、携帯端末機におけるイメージを撮影する方法が提供される。その方法は、プレビューモードでＣＡＦを遂行する間に撮影が選択される場合、撮影フレームのＡＦが遂行されるか否かを判定するステップと、撮影フレームのＡＦが遂行されない場合に撮影フレームに対してＡＦを遂行するステップとを有する。
【発明の効果】
【００１１】
本発明は、携帯端末機のイメージ撮影調整装置及び方法を提供することによって、ＣＡＦを遂行するプレビューモードでいかなる状況でもＡＦが遂行されるイメージを撮影することができる効果がある。
【００１２】
本発明による実施形態の上記及び他の態様、特徴、及び利点は、添付の図面と共に述べる以下の詳細な説明から、一層明らかになるはずである。
【図面の簡単な説明】
【００１３】
【図１】本発明の実施形態による携帯端末機を示すブロック構成図である。
【図２】本発明の第１の実施形態による携帯端末機におけるイメージを撮影する手順を示すフローチャートである。
【図３】本発明の第２の実施形態による携帯端末機におけるイメージを撮影する手順を示すフローチャートである。
【図４】本発明の第３の実施形態による携帯端末機におけるイメージを撮影する手順を示すフローチャートである。
【図５】本発明の第４の実施形態による携帯端末機におけるイメージを撮影する手順を示すフローチャートである。
【発明を実施するための形態】
【００１４】
以下、本発明の望ましい実施形態を添付の図面を参照して詳細に説明する。
【００１５】
次の説明において、具体的な構成及び構成要素のような特定の詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００１６】
図１は、本発明の実施形態による携帯端末機を示すブロック構成図である。
【００１７】
図１を参照すると、ＲＦ(Radio Frequency)部１２３は、携帯端末機の無線通信機能を遂行する。ＲＦ部１２３は、送信される信号の周波数をアップコンバート及び増幅するＲＦ送信器と、受信される信号を低雑音増幅して周波数をダウンコンバートするＲＦ受信器を含む。データ処理部１２０は、送信される信号を符号化及び変調する送信器及び受信される信号を復調及び復号化する受信器を含む。すなわち、データ処理部１２０は、モデム(MODEM)及びコーデック(CODEC)を含む。ここで、コーデックは、パケットデータのようなデータ信号を処理するデータコーデックと、音声のようなオーディオ信号を処理するオーディオコーデックとを具備する。オーディオ処理部１２５は、データ処理部１２０のオーディオコーデックから出力される受信オーディオ信号を再生し、あるいはマイクにより得られた送信オーディオ信号をデータ処理部１２０のオーディオコーデックに伝送する。
【００１８】
キー入力部１２７は、数字及び文字情報を入力するためのキー及び各種機能を設定するための機能キーを含む。
【００１９】
メモリ１３０は、プログラムメモリ、データメモリを含むことができる。プログラムメモリは、携帯端末機の一般的な動作を制御するためのプログラム、及びプレビューモードでＣＡＦを遂行する間に撮影フレームの動き変化量に基づき、撮影フレームに対してＡＦを遂行し、ＣＡＦが遂行されるプレビューモードに自動に切り替え、格納前に撮影フレームを表示するためのプログラムを格納することができる。また、データメモリは、プログラムの実行中に発生するデータを一時格納する。
【００２０】
また、メモリ１３０は、本発明の実施形態によりＣＡＦが遂行されるプレビューモードで画面の変化に基づいて連続してＡＦが遂行されるフレームを格納する。
【００２１】
制御部１１０は、携帯端末機の全体的な動作を制御する機能を遂行する。本発明の実施形態により、プレビューモードでＣＡＦを遂行する間に撮影が選択される場合、制御部１１０は、撮影フレームと以前のＡＦが遂行されたフレームとを比較し、撮影フレームの動き変化量を測定する。制御部１１０は、撮影フレームの動き変化量がしきい値より大きい場合、撮影フレームにＡＦが遂行されないと判定し、撮影フレームに対してＡＦを遂行した後に格納する。一方、撮影フレームの動き変化量がしきい値以下である場合には、制御部１１０は、撮影フレームにＡＦが遂行されたと判定し、この撮影フレームを格納する。
【００２２】
制御部１１０は、プレビューモードでＣＡＦを遂行する間に撮影が選択される場合、撮影フレームと以前にＡＦが遂行されたフレームとを比較し、撮影フレームの動き変化量を測定する。制御部１１０は、撮影フレームの動き変化量がしきい値より大きい場合、撮影フレームにＡＦが遂行されないと判定し、撮影フレームがＡＦ遂行されないフレームであることを示すメッセージを表示し、所定時間内に格納が選択されない場合にＣＡＦが遂行されるプレビューモードに自動に切り替える。一方、制御部１１０は、撮影フレームの動き変化量がしきい値以下である場合、撮影フレームにＡＦが遂行されたと判定し、この撮影フレームを格納する。
【００２３】
また、制御部１１０は、プレビューモードでＣＡＦを遂行する間に撮影が選択される場合、撮影フレームと以前にＡＦが遂行されたフレームとを比較して撮影フレームの動き変化量を測定する。制御部１１０は、撮影フレームの動き変化量がしきい値より大きい場合、撮影フレームにＡＦが遂行されないと判定し、撮影フレームがＡＦ遂行されないフレームであることを示すメッセージを表示し、フレームビューが選択されるときに格納前に撮影フレームを表示する。制御部１１０は、撮影フレームを表示する間に格納が選択される場合、ＡＦが遂行されない撮影フレームを格納し、あるいは撮影フレームを表示する間にプレビューモードが選択される場合、ＣＡＦが遂行されるプレビューモードに自動に切り替える。制御部１１０は、撮影フレームの動き変化量がしきい値以下である場合、撮影フレームにＡＦが遂行されたと判定し、撮影フレームを格納する。
【００２４】
また、制御部１１０は、プレビューモードでＣＡＦを遂行する間に撮影が選択される場合、撮影フレームと以前にＡＦが遂行されたフレームとを比較し、撮影フレームの動き変化量を測定する。制御部１１０は、撮影フレームの変化量がしきい値より大きい場合、撮影フレームにＡＦが遂行されないと判定し、撮影フレームがＡＦ遂行されないフレームであることを示すメッセージを表示した後に、ＡＦの遂行されないフレームを格納する。制御部１１０は、ＣＡＦが遂行されるプレビューモードに切り替え、プレビューモードで以前に撮影フレームにＡＦが遂行されないことを示すメッセージを表示する。このとき、制御部１１０は、ＣＡＦが遂行されるプレビューモードで、以前に撮影フレームをサムネイル画像(thumbnail image)で表示する場合、フレームに対するＡＦが遂行されるか否かに従ってサムネイル画像を区分して表示する。
【００２５】
カメラ部１４０は、画像データを撮影し、撮影した光画像信号を電気的画像信号に変換するカメラセンサと、このカメラセンサにより撮影アナログ画像信号をデジタル画像データに変換する信号処理部とを含む。ここで、カメラセンサは、ＣＣＤ(Charge Coupled Device)センサ又はＣＭＯＳ(Complementary Metal-Oxide Semiconductor)センサであり、信号処理部は、ＤＳＰ(Digital Signal Processor)により実現され得る。カメラセンサ及び信号処理部は、一体型に実現されるか、あるいは分離して実現されることができる。
【００２６】
画像処理部１５０は、カメラ部１４０から出力される画像信号をディスプレイ部１６０に表示するためのＩＳＰ(Image Signal Processing)を遂行する。ＩＳＰは、ガンマ補正、補間(interpolation)、空間的変化、イメージ効果、イメージスケーリング、ＡＷＢ(Auto White Balance)、ＡＥ(Auto Exposure)、及びＡＦのような機能を遂行する。画像処理部１５０は、カメラ部１４０から出力される画像信号をフレーム単位で処理し、フレーム画像データをディスプレイ部１６０の特性及びサイズに基づいて出力する。この画像処理部１５０は、ビデオコーデックを具備し、ディスプレイ部１６０に表示されるフレーム画像データを所定方式で圧縮し、あるいは圧縮されたフレーム画像データを元のフレーム画像データに復元する。ここで、ビデオコーデックは、ＪＰＥＧ(Joint Photographic Experts Group)コーデック、ＭＰＥＧ４(Moving Picture Experts Group 4)コーデック、及びウェーブレット(Wavelet)コーデックなどである。画像処理部１５０は、ＯＳＤ(On Screen Display)機能を有すると仮定し、制御部１１０の制御下に表示される画面サイズに従ってＯＳＤデータを出力することができる。
【００２７】
ディスプレイ部１６０は、画像処理部１５０から出力される画像信号を画面に表示し、制御部１１０から出力されるユーザーデータを表示する。ディスプレイ部１６０は、ＬＣＤ(Liquid Crystal Display)であり得る。この場合、制御部１６０は、ＬＣＤ制御部、画像データを格納するメモリ、及びＬＣＤ表示素子を含む。ここで、ＬＣＤは、タッチスクリーン方式で実現する場合、入力部として動作できる。この場合、キー入力部１２７のようなキーは、ディスプレイ部１６０に表示することができる。
【００２８】
上記携帯端末機で入力方式に基づいてタッチ感度を調節する動作について、以下に、図２から図５を参照して詳細に説明する。
【００２９】
図２は、本発明の第１の実施形態による携帯端末機におけるイメージを撮影する手順を示す。本発明の第１の実施形態は、図１を参照して詳細に説明する。
【００３０】
図２を参照すると、ステップ２０１においてプレビューモードでＣＡＦを遂行する間に、制御部１１１０は、画面が切り替えられる度にＡＦが遂行されたフレームを格納する。
【００３１】
ステップ２０２において、プレビューモードでＣＡＦを遂行する間に撮影が選択される場合、制御部１１０は、ステップ２０３で、撮影フレームの動き変化量を測定する。ステップ２０３において、制御部１１０は、撮影の選択以前にＡＦが遂行されたフレームと撮影が選択されたフレームとを比較し、撮影フレームの動き変化量を測定する。
【００３２】
ステップ２０４において、撮影フレームの動き変化量がしきい値以下である場合、制御部１１０は、ステップ２０５で、撮影フレームはＡＦが遂行されたフレームであると判定し、この撮影フレームを格納する。
【００３３】
一方、ステップ２０４において、撮影フレームの動き変化量がしきい値より大きい場合、制御部１１０は、ステップ２０６で、撮影フレームはＡＦが遂行されないフレームであると判定し、撮影フレームに対してＡＦを遂行する。ステップ２０７において、制御部１１０は、ステップ２０６でＡＦが遂行されたフレームを格納する。
【００３４】
図３は、本発明の第２の実施形態による携帯端末機におけるイメージを撮影する手順を示す。本発明の実施形態について、以下に、図１を参照して詳細に説明する。
【００３５】
図３を参照すると、ステップ３０１において、プレビューモードでＣＡＦを遂行する間に、制御部１１０は、画面が切り替えられる度にＡＦが遂行されたフレームを格納する。
【００３６】
プレビューモードでＣＡＦを遂行する間に、ステップ３０２で撮影が選択される場合、制御部１１０は、ステップ３０３で、撮影フレームの動き変化量を測定する。ステップ３０３において、制御部１１０は、撮影の選択以前にＡＦが遂行されたフレームと撮影が選択されたフレームとを比較し、撮影フレームの動き変化量を測定する。
【００３７】
ステップ３０４で撮影フレームの動き変化量がしきい値以下である場合、制御部１１０は、ステップ３０５で、撮影フレームはＡＦが遂行されたフレームであると判定し、撮影フレームを格納する。
【００３８】
ステップ３０４で撮影フレームの動き変化量がしきい値より大きい場合、制御部１１０は、ステップ３０６で、撮影フレームはＡＦが遂行されないフレームであると判定し、撮影フレームはＡＦが遂行されないフレームであることを示すメッセージを表示する。メッセージを表示する間に、ステップ３０７で、所定時間以内に格納が選択されない場合、制御部１１０は、ＣＡＦが遂行されるステップ３０１のプレビューモードに自動に切り替える。
【００３９】
一方、メッセージを表示する間に、ステップ３０７で所定時間以内に格納が選択される場合、制御部１１０は、ステップ３０８で、ＡＦが遂行されない撮影フレームを格納する。
【００４０】
図４は、本発明の第３の実施形態による携帯端末機におけるイメージを撮影する手順を示す。本発明の第３の実施形態について、以下に、図１を参照して詳細に説明する。
【００４１】
図４を参照すると、ステップ４０１において、プレビューモードでＣＡＦを遂行する間に、制御部１１０は、画面が切り替えられる度にＡＦが遂行されたフレームを格納する。
【００４２】
プレビューモードでＣＡＦを遂行する間に、ステップ４０２で撮影が選択される場合、制御部１１０は、ステップ４０３で、撮影フレームの動き変化量を測定する。ステップ４０３において、制御部１１０は、撮影の選択以前にＡＦが遂行されたフレームを撮影が選択されたフレームと比較し、撮影フレームの動き変化量を測定する。
【００４３】
ステップ４０４で、撮影フレームの動き変化量がしきい値以下である場合、制御部１１０は、ステップ４０５で、撮影フレームはＡＦが遂行されたフレームであると判定し、この撮影フレームを格納する。
【００４４】
一方、ステップ４０４で、撮影フレームの動き変化量がしきい値より大きい場合、制御部１１０は、ステップ４０６で、撮影フレームはＡＦが遂行されないフレームであると判定し、この撮影フレームはＡＦが遂行されないフレームであることを示すメッセージを表示する。ステップ４０７で、メッセージを表示する間にフレームビューが選択される場合、制御部１１０は、ステップ４０８で、ＡＦが遂行されない撮影フレームを表示する。ステップ４０９で、撮影フレームを表示する間にプレビューモード又は取り消しが選択される場合、制御部１１０は、ＣＡＦが遂行されるステップ４０１のプレビューモードに自動に切り替える。
【００４５】
ステップ４０６でメッセージを表示する間、あるいはステップ４０８でＡＦが遂行されない撮影フレームを表示する間、ステップ４１０で格納が選択される場合、制御部１１０は、ステップ４１１で、ＡＦが遂行されない撮影フレームを格納する。
【００４６】
図５は、本発明の第４の実施形態による携帯端末機におけるイメージを撮影する手順を示すフローチャートである。以下に、本発明の実施形態を図１を参照して詳細に説明する。
【００４７】
図５を参照すると、ステップ５０１において、プレビューモードでＣＡＦを遂行する間に、制御部１１０は、画面が切り替えられる度にＡＦが遂行されたフレームを格納する。
【００４８】
ステップ５０２で、プレビューモードでＣＡＦを遂行する間に撮影が選択される場合、制御部１１０は、ステップ５０３で、撮影フレームの動き変化量を測定する。
【００４９】
ステップ５０３において、制御部１１０は、撮影の選択以前にＡＦが遂行されたフレームと撮影が選択されたフレームとを比較し、撮影フレームの動き変化量を測定する。
【００５０】
ステップ５０４で撮影フレームの動き変化量がしきい値以下である場合、制御部１１０は、ステップ５０５で、撮影フレームがＡＦ遂行されたフレームであると判定し、この撮影フレームを格納する。
【００５１】
一方、ステップ５０４で撮影フレームの動き変化量がしきい値より大きい場合、制御部１１０は、ステップ５０６で、撮影フレームはＡＦが遂行されないフレームであると判定し、撮影フレームはＡＦが遂行されないフレームであることを示すメッセージを表示する。
【００５２】
上記メッセージを表示する間、又は上記メッセージを所定時間で表示した後、制御部１１０は、ステップ５０７で、ＡＦが遂行されない撮影フレームを格納する。
【００５３】
ＡＦが遂行されない撮影フレームを格納した後、制御部１１０は、ステップ５０８において、プレビューモードでＣＡＦを遂行する。ステップ５０８において、制御部１１０は、ＣＡＦが遂行されるプレビューモードで、ディスプレイ部１６０の特定領域に以前に撮影して格納されたフレームがＡＦ遂行されないことを示すメッセージを表示する。
【００５４】
例えば、プレビューモードで、ディスプレイ部１６０の特定領域で以前に撮影して格納されたフレームがサムネイル画像で表示され得るため、制御部１１０は、サムネイル画像でフレームを表示する場合、ＡＦが遂行されたフレームとＡＦが遂行されないフレームを区分して表示することができる。制御部１１０は、サムネイル画像のエッジラインを異なる色で表示することによって、以前に撮影して格納されているフレームがＡＦの遂行されないフレームであることを示すことができる。
【００５５】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【符号の説明】
【００５６】
１１０  制御部
１２０  データ処理部
１２３  ＲＦ部
１２５  オーディオ処理部
１２７  キー入力部
１３０  メモリ
１４０  カメラ部
１５０  画像処理部
１６０  ディスプレイ部
【図１】
2013190791.tif 000003
【図２】
2013190791.tif 000004
【図３】
2013190791.tif 000005
【図４】
2013190791.tif 000006
【図５】
2013190791.tif 000007